【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるアクセスノードでのワイヤレス通信のための方法であって、
前記アクセスノードの第１のセルと第２のセルとを使用してユーザ機器（ＵＥ）にサービスするための１つまたは複数のセル構成を決定することと、ここにおいて、前記１つまたは複数のセル構成は、前記第１のセルに関連付けられた第１のセットのパラメータと前記第２のセルに関連付けられた第２のセットのパラメータとに少なくとも部分的に基づく、
前記決定された１つまたは複数のセル構成に少なくとも部分的に基づいて前記ＵＥにサービスすることと、ここにおいて、前記第１のセルは、認可周波数スペクトル帯域を使用して動作し、前記第２のセルは、無認可周波数スペクトル帯域を使用して動作する、
を備える方法。
【請求項２】
前記ＵＥにサービスすることが、
前記第１のセルにわたってトラフィックストリームの第１の部分をサービスすることと、
前記第２のセルにわたって前記トラフィックストリームの第２の部分をサービスすることと
を備える、請求項１に記載の方法。
【請求項３】
前記ＵＥにサービスすることが、
前記第１のセルにわたって前記ＵＥにサービスするかどうかを決定することと、
前記第２のセルにわたって前記ＵＥにサービスするかどうかを決定することと
を備える、請求項１に記載の方法。
【請求項４】
前記第１のセルまたは前記第２のセルにわたって前記ＵＥにサービスするかどうかを決定することが、
前記第１のセルおよび前記第２のセルの各々との接続を確立するよう前記ＵＥに命令すること、または
前記第１のセルまたは前記第２のセルへのアクセスが利用可能であるかどうかを決定するよう前記ＵＥに命令すること
のうちの１つまたは複数を備える、請求項３に記載の方法。
【請求項５】
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量
のうちの１つまたは複数を備える、請求項１に記載の方法。
【請求項６】
前記１つまたは複数のセル構成を受信することをさらに備え、ここにおいて、前記１つまたは複数のセル構成が、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順
のうちの１つまたは複数の間に第１のネットワークノードから受信される、請求項１に記載の方法。
【請求項７】
前記１つまたは複数のセル構成を受信することが、前記ＵＥにサービスするための前記１つまたは複数のセル構成を第２のネットワークノードから受信することを備える、請求項６に記載の方法。
【請求項８】
ワイヤレス通信ネットワークにおけるアクセスノードでのワイヤレス通信のための装置であって、
前記アクセスノードの第１のセルと第２のセルとを使用してユーザ機器（ＵＥ）にサービスするための１つまたは複数のセル構成を決定するための手段と、ここにおいて、前記１つまたは複数のセル構成は、前記第１のセルに関連付けられた第１のセットのパラメータと前記第２のセルに関連付けられた第２のセットのパラメータとに少なくとも部分的に基づく、
前記決定された１つまたは複数のセル構成に少なくとも部分的に基づいて前記ＵＥにサービスするための手段と、ここにおいて、前記第１のセルは、認可周波数スペクトル帯域を使用して動作し、前記第２のセルは、無認可周波数スペクトル帯域を使用して動作する、
を備える装置。
【請求項９】
前記ＵＥにサービスするための手段が、前記第１のセルにわたってトラフィックストリームの第１の部分をサービスし、前記第２のセルにわたって前記トラフィックストリームの第２の部分をサービスする、請求項８に記載の装置。
【請求項１０】
前記ＵＥにサービスするための手段が、前記第１のセルにわたって前記ＵＥにサービスするかどうかを決定し、前記第２のセルにわたって前記ＵＥにサービスするかどうかを決定する、請求項８に記載の装置。
【請求項１１】
前記１つまたは複数のセル構成が、
前記第１のセルにわたってサービスされるべきトラフィック量の割合および前記第２のセルにわたってサービスされるべきトラフィック量の割合、
前記第１のセルまたは前記第２のセルにわたってサービスされるべきトラフィック量の最大量、
前記第１のセルまたは前記第２のセルにわたってサービスされるべき最大ビットレート、
前記第１のセルまたは前記第２のセルにわたってサービスされるべき最小ビットレート、
前記第１のセルまたは前記第２のセルにわたってサービスされるべきアプリケーションタイプ、
前記第１のセルまたは前記第２のセルにわたってサービスされるべき１つまたは複数のベアラ、
前記第１のセルまたは前記第２のセルにわたってサービスされるべき１つまたは複数のサービスデータフロー、
前記第１のセルまたは前記第２のセルに関連付けられた１つまたは複数の優先度付けルール、
前記第１のセルまたは前記第２のセルによってサービスされるべきトラフィック量のサービス品質（ＱｏＳ）要件、あるいは
前記第１のセルまたは前記第２のセルが利用可能なエアインターフェースリソースの量
のうちの１つまたは複数を備える、請求項８に記載の装置。
【請求項１２】
前記１つまたは複数のセル構成を受信するための手段をさらに備え、ここにおいて、前記１つまたは複数のセル構成が、
前記アクセスノードと前記ＵＥとの間の接続確立手順、
前記アクセスノードと前記ＵＥとの間のデフォルトベアラ有効化手順、
前記アクセスノードと前記ＵＥとの間の専用ベアラ有効化手順、または
前記アクセスノードと前記ＵＥとの間のパケットデータプロトコル（ＰＤＰ）コンテキスト有効化手順
のうちの１つまたは複数の間に第１のネットワークノードから受信される、請求項８に記載の装置。
【請求項１３】
前記１つまたは複数のセル構成を受信するための前記手段が、前記ＵＥにサービスするための前記１つまたは複数のセル構成を第２のネットワークノードから受信する、請求項１２に記載の装置。
【請求項１４】
前記１つまたは複数のセル構成が、
前記ＵＥに、
前記ＵＥのベアラに、
サービスデータフロー（ＳＤＦ）に、
ＵＥのクラスに、あるいは
前記第１のセルまたは前記第２のセルのうちの１つまたは複数を使用してサービスされるべきすべてのＵＥに
提供される、請求項８に記載の装置。
【請求項１５】
コンピュータ上で実行されるときに請求項１〜７のうちのいずれか一項に従って方法を実施するための命令を備えるコンピュータプログラム。